(57)【特許請求の範囲】
【請求項１】
平面ディスプレイ装置において，少なくとも，画像をディスプレイするＬＣＤモジュールと，前記ＬＣＤモジュールの端を囲み外観を形成するシャーシと，連結ケーブルによって外部のシステムと連結されるコネクタを有し，前記シャーシに接地される回路基板と，前記回路基板に設けられて前記ＬＣＤモジュールを作動させるＬＣＤコントローラと，前記ＬＣＤコントローラの周りを囲むように形成され，該ＬＣＤコントローラからの電磁波の放出を抑える接地領域と，前記接地領域と前記連結ケーブルとを連結し，前記回路基板の接地を補強する補強コネクタと，を含むことを特徴とする平面ディスプレイ装置。
【請求項２】
前記補強コネクタは，前記連結ケーブルが受容される受容部が形成された補強コネクタ本体と，前記補強コネクタ本体に設けられて前記受容部を開閉し，前記受容部に前記連結ケーブルを締結するカバーと，前記受容部に設けられて前記連結ケーブルと前記回路基板の接地領域とに連結される接地部と，を含むことを特徴とする請求項１に記載の平面ディスプレイ装置。
【発明の詳細な説明】
【０００１】
【発明の属する技術分野】
本発明は，平面ディスプレイ装置に係り，特に，回路基板の接地構造を改善した平面ディスプレイ装置に関する。
【０００２】
【従来の技術】
一般に平面ディスプレイ装置は，中央部に開口が形成された前面カバーと，前面カバーに密着して結合される後面カバーと，前面カバー及び後面カバーの間に設けられ外部システムと連結されて画像をディスプレイするＬＣＤパネル（Ｌｉｑｕｉｄ  Ｃｒｙｓｔａｌ  Ｄｉｓｐｌａｙ  Ｐａｎｅｌ）と，を有する。
【０００３】
図５は従来のＬＣＤパネルの背面図である。図示したように，ＬＣＤパネル１１５は，外部に画像をディスプレイする板状のＬＣＤモジュール１１７と，ＬＣＤモジュール１１７の外観を形成するシャーシ１１９と，を有する。
【０００４】
ＬＣＤモジュール１１７の下部の領域には，ＬＣＤモジュール１１７を照らすランプ１２１が設けられており，ＬＣＤモジュール１１７の背面にはＬＣＤモジュール１１７を作動させる回路基板１２５が装着されている。
【０００５】
回路基板１２５は，回路を形成する複数の基板が積層されたものであって，回路基板１２５の下端の一側には，連結ケーブル１５１と結合されて外部システム（図示せず）と連結されるコネクタ１２７が設けられている。回路基板１２５の略中央の領域には，コネクタ１２７と連結されて外部システムから入力される信号によってＬＣＤモジュール１１７を作動させるＬＣＤコントローラ（Ｌｉｑｕｉｄ  Ｃｒｙｓｔａｌ  Ｄｉｓｐｌａｙ  Ｃｏｎｔｒｏｌｌｅｒ）１２９が設けられている。回路基板１２５の上端にはＬＣＤコントローラ１２９から送出されるデジタル信号をＬＣＤモジュール１１７に画像ディスプレイができるようにアナログ信号に変換させる複数のドライバーＩＣ（Ｉｎｔｅｇｒａｔｅｄ  Ｃｉｒｃｕｉｔ）１３１が設けられており，ドライバーＩＣ１３１はＬＣＤモジュール１１７に結合されている。ＬＣＤコントローラ１２９と各ドライバーＩＣ１３１は，回路基板１２５に設けられた多くのシグナルライン（Ｓｉｇｎａｌ  Ｌｉｎｅ）１３３によって連結され，各シグナルライン１３３は，ＬＣＤコントローラ１２９から送出されるデジタル信号を各ドライバーＩＣ１３１に電送する。
【０００６】
一方，最近，平面ディスプレイ装置の小形化に従って回路基板１２５を縮小化する傾向がある。ＬＣＤコントローラ１２９と各ドライバーＩＣ１３１を相互連結する各シグナルライン１３３の数に対して回路基板１２５が縮小化されることにより，回路基板１２５の接地領域１３５は分散される構造を有する。図５には図示されていないが，各基板ごと異なり形成された接地領域１３５はバイアホール（Ｖｉａ  Ｈｏｌｅ）によって相互連結されている。
【０００７】
回路基板１２５の接地領域１３５の一部が，シャーシ１１９の左端及び右端にネジ１３７によってネジ結合された一対の導体板１３９に連結されることにより，回路基板１２５はシャーシ１１９に接地される。
【０００８】
しかしながら，このような従来の平面ディスプレイ装置においては，回路基板の構造上，回路基板の接地領域の一部だけをシャーシの一側に連結して接地し，特に平面ディスプレイ装置で電磁波の放出が最高であるＬＣＤコントローラの周りには接地領域が形成されていないので，電磁波の放出の増加だけでなく，ＬＣＤコントローラとドライバーＩＣを連結するシグナルラインを通して電送される各デジタル信号が電磁波の影響を受けて不安定に電送されて製品の信頼性が低下する問題点がある。
【０００９】
【発明が解決しようとする課題】
本発明は，このような問題点に鑑みてなされたもので，その目的とするところは，電磁波の放出の最小化及び製品の信頼性の向上を図ることができる平面ディスプレイ装置を提供することである。
【００１０】
【課題を解決するための手段】
前述した課題を達成するために本発明は，平面ディスプレイ装置において，少なくとも，画像をディスプレイするＬＣＤモジュールと，ＬＣＤモジュールの端を囲み外観を形成するシャーシと，連結ケーブルによって外部のシステムと連結されるコネクタを有し，シャーシに接地される回路基板と，回路基板に設けられてＬＤＣモジュールを作動させるＬＣＤコントローラと，ＬＣＤコントローラの周りに形成された接地領域と，を含むことを特徴とする平面ディスプレイ装置である。
【００１１】
さらに，接地領域に連結されて，回路基板の接地を補強する補強コネクタを含み，連結ケーブルに連結されるようにするのが好ましい。
【００１２】
この補強コネクタは，連結ケーブルが受容される受容部が形成された補強コネクタ本体と，補強コネクタ本体に設けられて受容部を開閉し，受容部に前記連結ケーブルを締結するカバーと，受容部に設けられて連結ケーブルと回路基板の接地領域とに連結される接地部と，を含むのが好ましい。
【００１３】
【発明の実施の形態】
以下，本発明の実施形態としてＬＣＤモジュール（Ｌｉｑｕｉｄ  Ｃｒｙｓｔａｌ  Ｄｉｓｐｌａｙ  Ｍｏｄｕｌｅ）を有する平面ディスプレイ装置に対して添付した図面を参照しながら詳細に説明する。
【００１４】
図１は一般の平面ディスプレイ装置の斜視図であり，図２は図１の分解斜視図である。これら図面に示したように，平面ディスプレイ装置は，中央部に開口が形成された前面カバー１１と，前面カバー１１に密着して結合される後面カバー１３と，前面カバー１１及び後面カバー１３との間に設けられて外部システム（図示せず）と連結されて画像をディスプレイするＬＣＤパネル（Ｌｉｑｕｉｄ  Ｃｒｙｓｔａｌ  Ｄｉｓｐｌａｙ  Ｐａｎｅｌ）１５と，を有する。
【００１５】
ＬＣＤパネル１５は，外部に画像をディスプレイする板状のＬＣＤモジュール１７とＬ，ＣＤモジュール１７の端を囲み，外観を形成するシャーシ１９と，を有する。
【００１６】
ＬＣＤパネルの背面図である図３に示したように，ＬＣＤモジュール１７の下部領域にはＬＣＤモジュール１７を照らすランプ２１が設けられており，ランプ２１の一端はランプケーブル２３に連結されている。ＬＣＤモジュール１７の背面にはＬＣＤモジュール１７を作動させる回路基板２５が装着されている。
【００１７】
回路基板２５は，回路を形成する複数の基板が積層されたものであって，回路基板２５の下端の一側には，連結ケーブル５１と結合されて外部システムと連結されるコネクタ２７が設けられている。コネクタ２７には，外部システムから入力される信号によってＬＣＤモジュール１７を作動させるＬＣＤコントローラ（Ｌｉｑｕｉｄ  Ｃｒｙｓｔａｌ  Ｄｉｓｐｌａｙ  Ｃｏｎｔｒｏｌｌｅｒ）２９が連結されている。回路基板２５の上端には，ＬＣＤコントローラ２９から送出されるデジタル信号をＬＣＤモジュール１７にディスプレイができるようにアナログ信号に変換させる複数のドライバーＩＣ（Ｉｎｔｅｇｒａｔｅｄ  Ｃｉｒｃｕｉｔ）３１が設けられており，各ドライバーＩＣ３１はＬＣＤモジュール１７に結合されている。ＬＣＤコントローラ２９と各ドライバーＩＣ３１は，回路基板２５に設けられた多くのシグナルライン（Ｓｉｇｎａｌ  Ｌｉｎｅ）３３によって連結され，各シグナルライン３３は，ＬＣＤコントローラ２９から送出されるデジタル信号を各ドライバーＩＣ３１に電送する。
【００１８】
回路基板２５のシグナルライン３３の周りには，複数の接地領域３５が設けられており，特に，ＬＣＤコントローラ２９の周りにはＬＣＤコントローラ２９を囲むコントローラ接地領域３５ａが形成されている。図３には図示されていないが，各回路基板ごと異なり形成された接地領域３５，３５ａは，バイアホール（Ｖｉａ  Ｈｏｌｅ）（図示せず）によって相互に連結されている。
【００１９】
回路基板２５のＬＣＤコントローラ２９の周りに設けられたコントローラ接地領域３５ａは，後述する補強コネクタ４１の接地部４９（図４参照）に連結されて補強コネクタ４１に連結される連結ケーブル５１に接地される。また，他の接地領域３５は，シャーシ１９の左端及び右端にネジ３７によってネジ結合された一対の導体板３９に連結されることにより，シャーシ１９に接地される。
【００２０】
一方，回路基板２５の一側に設けられたコネクタ２７の両側には回路基板２５の接地を補強する一対の補強コネクタ４１が設けられている。図４に示したように，補強コネクタ４１は，連結ケーブル５１の接地ピン（図示せず）が受容される上部が開放された受容部４５が形成された補強コネクタ本体４３と，補強コネクタ本体４３の受容部４５を開閉するように設けられて受容部４５に連結ケーブル５１を固定するカバー４７と，補強コネクタ本体４３の受容部４５の底に設けられてコネクタ２７の接地ピン（図示せず）とＬＣＤコントローラ２９の周りのコントローラ接地領域３５ａに連結される接地部４９と，を有する。
【００２１】
補強コネクタ４１の接地部４９は半田付けによってＬＣＤコントローラ２９の周りのコントローラ接地領域３５ａの一側に連結される。また，補強コネクタ４１の接地部４９は，コネクタ２７の接地ピン（図示せず）にも連結されてコネクタ２７がＬＣＤコントローラ２９の周りのコントローラ接地領域３５ａを通じて接地される。
【００２２】
補強コネクタ４１に連結ケーブル５１を連結する時，先ず，カバー４７を上向き回転させて受容部４５を開放した状態で，連結ケーブル５１の接地ピンを挿入し，カバー４７を下向き回転させて受容部４５を閉鎖することにより，連結ケーブル５１が受容部４５に受容されて連結ケーブル５１が補強コネクタ４１に締結され，受容部４５内の連結ケーブル５１の接地ピンは接地部４９に連結されて，補強コネクタ４１はＬＣＤコントローラ２９の周りのコントローラ接地領域３５ａに連結される。
【００２３】
以上の構成によって，補強コネクタ４１の接地部４９を通して，連結ケーブル５１の接地ピンとコネクタ２７の接地ピンをＬＣＤコントローラ２９の周りのコントローラ接地領域３５ａに連結させることができる。また，前述の回路基板２５の一部の接地領域３５は，シャーシ１９の左端及び右端にネジ３７によってネジ結合された一対の導体板３９に連結されることによりシャーシ１９に接地される。
【００２４】
従って，平面ディスプレイ装置で電磁波の放出が最高であるＬＣＤコントローラ２９の周りの接地領域３５が連結ケーブル５１に連結されることにより，平面ディスプレイ装置の電磁波の放出を最小化することができ，ＬＣＤコントローラ２９から各デジタル信号を安定的に各ドライバーＩＣ３１に送出することができる。また，ＬＣＤコントローラ２９の周りの接地領域３５ａに連結されるように回路基板の接地を補強する補強コネクタ４１を設けることにより，接地効果をさらに向上させることができる。
【００２５】
以上，添付図面を参照しながら本発明にかかる平面ディスプレイ装置の好適な実施形態について説明したが，本発明はかかる例に限定されない。当業者であれば，特許請求の範囲に記載された技術的思想の範疇内において各種の変更例または修正例に想到し得ることは明らかでありそれについても当然に本発明の技術的範囲に属するものと了解される。
【００２６】
【発明の効果】
以上，詳細に説明したように本発明によれば，電磁波の放出の最小化及び製品の信頼性の向上を図ることができる平面ディスプレイ装置を提供することができる。
【図面の簡単な説明】
【図１】本発明の一実施形態による平面ディスプレイ装置の斜視図である。
【図２】図１の分解斜視図である。
【図３】図２のＬＣＤパネルの背面図である。
【図４】図１から図３の補強コネクタの概略斜視図である。
【図５】従来のＬＣＤパネルの背面図である。
【符号の説明】
１５    ＬＣＤパネル
１７    ＬＣＤモジュール
１９    シャーシ
２５    回路基板
２７    コネクタ
２９    ＬＣＤコントローラ
３５    接地領域
３５ａ    コントローラ接地領域
４１    補強コネクタ
４３    補強コネクタ本体
４５    受容部
４７    カバー
４９    接地部
５１    連結ケーブル
【図１】
0003593053.tif 000002
【図２】
0003593053.tif 000003
【図３】
0003593053.tif 000004
【図４】
0003593053.tif 000005
【図５】
0003593053.tif 000006